(57)【要約】【課題】ワイヤレスコミュニケーションシステムにおいて、ＲＬＣ　ＡＭエンティティをデッドロックから回避し、サービス品質ＱｏＳの低下を防止するタイマー処理方法を提供する。【解決手段】本発明のタイマー処理方法は、ＲＬＣ　ＡＭエンティティのために、Ｔｉｍｅｒ＿Ｐｏｌｌ＿Ｐｅｒｉｏｄｉｃタイマーを起動する工程と、ＲＬＣ　ＡＭエンティティのために、リセット工程を実行する工程と、リセット工程が完了する前に、Ｔｉｍｅｒ＿Ｐｏｌｌ＿Ｐｅｒｉｏｄｉｃタイマーの期限切れに応答してＴｉｍｅｒ＿Ｐｏｌｌ＿Ｐｅｒｉｏｄｉｃタイマーを再起動する工程と、を備える。さらに、リセット工程に応答して、Ｔｉｍｅｒ＿Ｐｏｌｌ＿Ｐｅｒｉｏｄｉｃタイマーを停止させず、タイマーの値を維持し、タイマーの操作を維持する工程を備える。【選択図】　図７
2004080752.tif 000002
【特許請求の範囲】
【請求項１】
ワイヤレスコミュニケーションシステムにおけるタイマーの処理方法であって、本方法は、
ＲＬＣ　ＡＭ　（Ｒａｄｉｏ　Ｌｉｎｋ　Ｃｏｎｔｒｏｌ　Ａｃｋｎｏｗｌｅｄｇｅｄ　Ｍｏｄｅ）　エンティティのために、Ｔｉｍｅｒ＿Ｐｏｌｌ＿Ｐｅｒｉｏｄｉｃタイマーを起動する工程と、
前記ＲＬＣ　ＡＭエンティティのために、リセット工程を実行する工程と、
前記リセット工程が完了する前に、前記Ｔｉｍｅｒ＿Ｐｏｌｌ＿Ｐｅｒｉｏｄｉｃタイマーの期限切れに応答して前記Ｔｉｍｅｒ＿Ｐｏｌｌ＿Ｐｅｒｉｏｄｉｃタイマーを再起動する工程と、
を備えることを特徴とする方法。
【請求項２】
更に、
前記リセット工程に応答して前記Ｔｉｍｅｒ＿Ｐｏｌｌ＿Ｐｅｒｉｏｄｉｃタイマーを再起動する工程を含むことを特徴とする請求項１に記載の方法。
【請求項３】
更に、
前記リセット工程に応答して、前記Ｔｉｍｅｒ＿Ｐｏｌｌ＿Ｐｅｒｉｏｄｉｃタイマーの値を維持し、前記Ｔｉｍｅｒ＿Ｐｏｌｌ＿Ｐｅｒｉｏｄｉｃタイマーの操作を維持する工程を含むことを特徴とする請求項１に記載の方法。
【請求項４】
更に、
前記ＲＬＣ　ＡＭエンティティを再構築する工程と、
前記ＲＬＣ　ＡＭエンティティの再構築後、前記Ｔｉｍｅｒ＿Ｐｏｌｌ＿Ｐｅｒｉｏｄｉｃタイマーを再起動する工程と、
を含むことを特徴とする請求項１に記載の方法。
【請求項５】
更に、
前記ＲＬＣ　ＡＭエンティティを再構築する工程と、
前記ＲＬＣ　ＡＭエンティティの再構築後、前記Ｔｉｍｅｒ＿Ｐｏｌｌ＿Ｐｅｒｉｏｄｉｃタイマーの値を維持し、前記Ｔｉｍｅｒ＿Ｐｏｌｌ＿Ｐｅｒｉｏｄｉｃタイマーの操作を維持する工程と、
を含むことを特徴とする請求項１に記載の方法。
【請求項６】
更に、
Ｔｉｍｅｒ＿Ｓｔａｔｕｓ＿Ｐｅｒｉｏｄｉｃタイマーを起動する工程と、
前記リセット工程が完了する前に、前記Ｔｉｍｅｒ＿Ｓｔａｔｕｓ＿Ｐｅｒｉｏｄｉｃタイマーの期限切れに応答して前記Ｔｉｍｅｒ＿Ｓｔａｔｕｓ＿Ｐｅｒｉｏｄｉｃタイマーを再起動する工程と、を含むことを特徴とする請求項１に記載の方法。
【請求項７】
更に、
前記リセット工程に応答して前記Ｔｉｍｅｒ＿Ｓｔａｔｕｓ＿Ｐｅｒｉｏｄｉｃタイマーを再起動する工程を含むことを特徴とする請求項６に記載の方法。
【請求項８】
更に、
前記リセット工程に応答して、前記Ｔｉｍｅｒ＿Ｓｔａｔｕｓ＿Ｐｅｒｉｏｄｉｃタイマーの値を維持し、前記Ｔｉｍｅｒ＿Ｓｔａｔｕｓ＿Ｐｅｒｉｏｄｉｃタイマーの操作を維持する工程を含むことを特徴とする請求項６に記載の方法。
【請求項９】
更に、
前記ＲＬＣ　ＡＭエンティティを再構築する工程と、
前記ＲＬＣ　ＡＭエンティティの再構築後、前記Ｔｉｍｅｒ＿Ｓｔａｔｕｓ＿Ｐｅｒｉｏｄｉｃタイマーを再起動する工程と、
を含むことを特徴とする請求項６に記載の方法。
【請求項１０】
更に、
前記ＲＬＣ　ＡＭエンティティを再構築する工程と、
前記ＲＬＣ　ＡＭエンティティの再構築後、前記Ｔｉｍｅｒ＿Ｓｔａｔｕｓ＿Ｐｅｒｉｏｄｉｃタイマーの値を維持し、前記Ｔｉｍｅｒ＿Ｓｔａｔｕｓ＿Ｐｅｒｉｏｄｉｃタイマーの操作を維持する工程と、
を含むことを特徴とする請求項６に記載の方法。
【請求項１１】
更に、
前記リセット工程の前に、ＳＤＵを受信し、前記ＳＤＵと関連するＴｉｍｅｒ＿Ｄｉｓｃａｒｄタイマーを起動する工程と、
前記リセット工程が完了する前に、前記Ｔｉｍｅｒ＿Ｄｉｓｃａｒｄタイマーが期限切れの場合、前記Ｔｉｍｅｒ＿Ｄｉｓｃａｒｄタイマーの値を再起動しない工程と、
前記ＳＤＵが破棄される場合、前記リセット工程に応答して前記Ｔｉｍｅｒ＿Ｄｉｓｃａｒｄタイマーを停止する工程と、
前記ＳＤＵが破棄されない場合、前記リセット工程に応答して、前記Ｔｉｍｅｒ＿Ｄｉｓｃａｒｄタイマーを再起動、或いは、前記Ｔｉｍｅｒ＿Ｄｉｓｃａｒｄタイマーの値を維持し、前記Ｔｉｍｅｒ＿Ｄｉｓｃａｒｄタイマーの操作を維持する工程と、
を含むことを特徴とする請求項１に記載の方法。
【請求項１２】
更に、
前記ＳＤＵが破棄され、前記リセット工程をトリガする状態が検出される場合、前記Ｔｉｍｅｒ＿Ｄｉｓｃａｒｄタイマーを停止する工程を含むことを特徴とする請求項１１に記載の方法。
【請求項１３】
更に、
前記ＲＬＣ　ＡＭエンティティを再構築する工程と、
前記ＲＬＣ　ＡＭエンティティの再構築後、前記Ｔｉｍｅｒ＿Ｄｉｓｃａｒｄ＿Ｐｅｒｉｏｄｉｃタイマーを停止する工程と、
を含むことを特徴とする請求項１１に記載の方法。
【請求項１４】
更に、
Ｔｉｍｅｒ＿Ｐｏｌｌ＿タイマーを起動する工程と、
前記リセット工程が完了する前に、前記Ｔｉｍｅｒ＿Ｐｏｌｌ＿タイマーが期限切れの場合、前記Ｔｉｍｅｒ＿Ｐｏｌｌ＿タイマーの値を再起動しない工程と、
前記リセット工程に応答して前記Ｔｉｍｅｒ＿Ｐｏｌｌ＿タイマーを停止する工程と、を備えることを特徴とする請求項１に記載の方法。
【請求項１５】
更に、
前記リセット工程をトリガする状態が検出される場合、前記Ｔｉｍｅｒ＿Ｐｏｌｌタイマーを停止する工程を含むことを特徴とする請求項１４に記載の方法。
【請求項１６】
更に、
前記ＲＬＣ　ＡＭエンティティを再構築する工程と、
前記ＲＬＣ　ＡＭエンティティの再構築後、前記Ｔｉｍｅｒ＿Ｐｏｌｌタイマーを停止する工程と、
を含むことを特徴とする請求項１４に記載の方法。
【請求項１７】
更に、
Ｔｉｍｅｒ＿Ｐｏｌｌ＿Ｐｒｏｈｉｂｉｔタイマーを起動する工程と、
前記リセット工程に応答して前記Ｔｉｍｅｒ＿Ｐｏｌｌ＿Ｐｒｏｈｉｂｉｔタイマーを停止する工程と、
を含むことを特徴とする請求項１に記載の方法。
【請求項１８】
更に、
前記リセット工程をトリガする状態が検出される場合、前記Ｔｉｍｅｒ＿Ｐｏｌｌ＿　Ｐｒｏｈｉｂｉｔタイマーを停止する工程を含むことを特徴とする請求項１７に記載　の方法。
【請求項１９】
更に、
前記ＲＬＣ　ＡＭエンティティを再構築する工程と、
前記ＲＬＣ　ＡＭエンティティの再構築後、前記Ｔｉｍｅｒ＿Ｐｏｌｌ＿Ｐｒｏｈｉｂｉｔタイマーを停止する工程と、
を含むことを特徴とする請求項１７に記載の方法。
【請求項２０】
更に、
Ｔｉｍｅｒ＿Ｓｔａｔｕｓ＿Ｐｒｏｈｉｂｉｔタイマーを起動する工程と、
前記リセット工程に応答してＴｉｍｅｒ＿Ｓｔａｔｕｓ＿Ｐｒｏｈｉｂｉｔタイマーを停止する工程と、
を含むことを特徴とする請求項１に記載の方法。
【請求項２１】
更に、
前記リセット工程をトリガする状態が検出される場合、前記Ｔｉｍｅｒ＿Ｓｔａｔｕｓ＿Ｐｒｏｈｉｂｉｔタイマーを停止する工程を含むことを特徴とする請求項２０に記載の方法。
【請求項２２】
更に、
前記ＲＬＣ　ＡＭエンティティを再構築する工程と、
前記ＲＬＣ　ＡＭエンティティの再構築後、前記Ｔｉｍｅｒ＿Ｓｔａｔｕｓ＿Ｐｒｏｈｉｂｉｔタイマーを停止する工程と、
を含むことを特徴とする請求項２０に記載の方法。
【請求項２３】
更に、
前記リセット工程の前に、Ｔｉｍｅｒ＿ＥＰＣタイマーを起動する工程と、
前記リセット工程の前に、ＥＰＣメカニズムを起動する工程と、
前記リセット工程が完了する前、前記Ｔｉｍｅｒ＿ＥＰＣタイマーの期限切れに応答して前記ＥＰＣメカニズムを停止する工程と、
を含むことを特徴とする請求項１に記載の方法。
【請求項２４】
更に、
前記リセット工程に応答して、或いは、前記リセット工程をトリガする状態が検出される場合、前記ＥＰＣメカニズムを停止する工程を含むことを特徴とする請求項２３に記載の方法。
【請求項２５】
更に、
前記ＲＬＣ　ＡＭエンティティを再構築する工程と、
前記ＲＬＣ　ＡＭエンティティの再構築後、前記ＥＰＣメカニズムを停止する工程と、を含むことを特徴とする請求項２３に記載の方法。
【請求項２６】
更に、
Ｔｉｍｅｒ＿ＲＳＴタイマーを起動する工程と、
前記ＲＬＣ　ＡＭエンティティを再構築する工程と、
前記ＲＬＣ　ＡＭエンティティの再構築後、前記Ｔｉｍｅｒ＿ＲＳＴタイマーを停止する工程と、
を含むことを特徴とする請求項１に記載の方法。
【請求項２７】
更に、
Ｔｉｍｅｒ＿ＭＲＷタイマーを起動する工程と、
前記ＲＬＣ　ＡＭエンティティを再構築する工程と、
前記ＲＬＣ　ＡＭエンティティの再構築後、前記Ｔｉｍｅｒ＿ＭＲＷタイマーを停止する工程と、
を含むことを特徴とする請求項１に記載の方法。
【発明の詳細な説明】
【０００１】
【発明の属する技術分野】
本発明は、ワイヤレスコミュニケーションシステムのタイマー処理方法に関するもので、特に、ワイヤレスコミュニケーションシステムのＲＬＣリセット、或いは再構築後のタイマーを処理する方法に関するものである。
【０００２】
【従来の技術】
科学技術の発展は、消費者の高度な要求の下、継続して進行している。１０年前、最先端の技術は、今では多くが時代遅れのものとなっている。消費者の市場での需要は、企業を刺激し革新へと導く。産業発展の結果、消費者の期待は更に大きくなっている。目下、携帯ワイヤレス装置、例えば、携帯電話、ＰＤＡ、ノート型パソコン、などは、急成長の市場である。しかし、これらのワイヤレス装置に用いられるコミュニケーションプロトコルは、すっかり古くなっている。消費者は次第に、ワイヤレスシステムに高い伝送機能と弾力性を提供するよう求め、産業にとって、更に複雑なコミュニケーションの基準を発展させ、要求に符合させる必要がある。第３世代パートナーシップ・プロジェクト（３ｒｄ　Ｇｅｎｅｒａｔｉｏｎ　Ｐａｒｔｎｅｒｓｈｉｐ　Ｐｒｏｊｅｃｔ、３ＧＰＰ）は新しいコミュニケーションシステムプロトコルの一例である。
【０００３】
図１を参照する。図１は、公知技術のコミュニケーションモデルの簡略図である。一般のワイヤレス環境において、第一ステーション１０は、一つ或いはそれ以上の第二ステーション２０と疎通する。第一ステーション１０は、上層１２、ラジオリンク制御（Ｒａｄｉｏ　Ｌｉｎｋ　Ｃｏｎｔｒｏｌ）ＲＬＣエンティティ１４、ＲＬＣ１４の下位にある下層１６、からなる。以下の記述において、全ＲＬＣエンティティはＲＬＣ確認応答（ａｃｋｎｏｗｌｅｄｇｅ　ｍｏｄｅ、ＡＭ）エンティティであると仮定する。
【０００４】
上層１２は、サービスデータユニット（Ｓｅｒｖｉｃｅ　ｄａｔａ　ｕｎｉｔ、ＳＤＵ）１３により、ＲＬＣ１４に情報を伝送する。ＳＤＵ１３は、大きさに制限がなく、上層１２が第二ステーション２０に伝送したいデータを保持する。ＲＬＣ１４は、ＳＤＵ１３を、一つ、或いはそれ以上のプロトコルデータユニット（ｐｒｏｔｏｃｏｌ　ｄａｔａ　ｕｎｉｔ、ＰＤＵ）１５に分ける。ＲＬＣ１４のＰＤＵ１５は固定の大きさで、それらは全て、下層１６に伝送される。下層１６は、実体層を含み、データを第二ステーション２０に送る。
【０００５】
第二ステーション２０の基本構造は、第一ステーション１０と同じである。第二ステーション２０は、上層２２、ＲＬＣ２４、下層２６、からなる。第一ステーション１０と同じで、第二ステーション２０は上層２２から、ＳＤＵ２３をＲＬＣ２４に伝送し、ＲＬＣ２４から、ＰＤＵ２５を下層２６に伝送する。第一ステーション１０により伝送されるデータは、第二ステーション２０の下層２６により受信され、一つ、或いはそれ以上のＰＤＵ２５に組み立てなおされ、ＲＬＣ２４に送られる。ＲＬＣ２４は、ＰＤＵ２５を受信し、それらから一つ、或いはそれ以上のＳＤＵ２３を組み立て、上層２２に送られる。上層２２は、続いて、ＳＤＵ２３を情報に転換し、この情報は、第一ステーション１０により生成される元の情報と完全に同じでなければならない。コミュニケーションシステムにおいて、ＳＤＵとＰＤＵという術語は、様々な意味を含む。以下の記述において、“ＳＤＵ”は上層からＲＬＣに送られるＳＤＵを示し、ＰＤＵはＲＬＣから下層に送られるＰＤＵのことを指す。この他、以下の記述を簡潔にするため、全て、第一ステーション１０の観点から説明されている。そうでなければ、注記してある。
【０００６】
図２（Ａ）及び図２（Ｂ）を参照する。図２（Ａ）及び図２（Ｂ）は、公知技術による、同等ＲＬＣ　ＡＭエンティティのリセット工程を示すメッセージ手順表（ｍａｓｓａｇｅ　ｓｅｑｕｅｎｃｅ　ｃｈａｒｔ）である。以下のメッセージ手順表において、時間の進行は上から下である。
【０００７】
図２（Ａ）において、第一ステーション１０は、ＲＥＳＥＴ　ＰＤＵを第二ステーション２０に送ることにより、リセット工程（ｒｅｓｅｔ　ｐｒｏｃｅｄｕｒｅ）を初期化することが示されている。第一ステーション１０の観点から、リセット工程は、ＲＥＳＥＴ　ＰＤＵの伝送により開始され、ＲＥＳＥＴ　ＡＣＫ　ＰＤＵが第二ステーション２０から受信されるまで終了しない。第二ステーション２０の観点から、リセット工程は、ＲＥＳＥＴ　ＰＤＵの受信時に開始され、ＲＥＳＥＴ　ＡＣＫ　ＰＤＵが第一ステーション１０に伝送された後、終了する。
【０００８】
図２（Ｂ）は反対の事態で、つまり、第二ステーション２０は、ＲＥＳＥＴ　ＰＤＵを第一ステーション１０に伝送することにより、リセット工程を初期化し、第一ステーション１０は、ＲＥＳＥＴ　ＡＣＫ　ＰＤＵを第二ステーション２０に伝送することにより、このＲＥＳＥＴ　ＰＤＵを確認応答する。これにより、第一ステーション１０と第二ステーション２０に含まれるＲＬＣエンティティ１４、２４のどちらかは、リセット工程を初期化する。
【０００９】
ＲＬＣのリセット、再構築を終了するのは、第３世代パートナーシップ・プロジェクト規格の３ＧＰＰ　　ＴＳ　　２５．３２２　Ｖ３．１０．０の“ＲＬＣプロトコル規格（ＲＬＣ　Ｐｒｏｔｏｃｏｌ　Ｓｐｅｃｉｆｉｃａｔｉｏｎ）”に定義される。確認応答モード下、ＲＬＣリセット工程に従って、Ｔｉｍｅｒ＿ＲＳＴタイマー以外の、同等ＲＬＣ　ＡＭエンティティ中に使用されるタイマーは、エンティティのリセット工程が完成する時、停止される。よって、Ｔｉｍｅｒ＿Ｐｏｌｌ、Ｔｉｍｅｒ＿Ｐｏｌｌ＿Ｐｒｏｈｉｂｉｔ、Ｔｉｍｅｒ＿ＥＰＣ、Ｔｉｍｅｒ＿Ｄｉｓｃａｒｄ、Ｔｉｍｅｒ＿Ｐｏｌｌ＿Ｐｅｒｉｏｄｉｃ、Ｔｉｍｅｒ＿Ｓｔａｔｕｓ＿Ｐｒｏｈｉｂｉｔ、Ｔｉｍｅｒ＿Ｓｔａｔｕｓ＿Ｐｅｒｉｏｄｉｃ、及びＴｉｍｅｒ＿ＭＲＷは、リセット工程中、全て停止する。例えば、図２（Ａ）に戻ると、Ｔｉｍｅｒ＿ＲＳＴタイマー以外の全タイマーは、第二ステーション２０で、ＲＥＳＥＴ　ＡＣＫ　ＰＤＵを第一ステーション１０に伝送した後、第二ステーション２０内のＲＬＣエンティティ２４により停止される。更に、全タイマーは、ＲＥＳＥＴ　ＡＣＫ　ＰＤＵが第二ステーション２０から受信された後、第一ステーション１０のＲＬＣエンティティ１４により停止される。
【００１０】
確認応答モード及び非確認応答モードのＲＬＣ再構築機能を実行する間、上層はＲＬＣエンティティの再構築を要求する。しかし、３ＧＰＰ　　ＴＳ　　２５．３２２　Ｖ３．１０．０規格は、再構築時に、如何にして前述したタイマーを処理するかを明確にしていない。そのため、このタイマーを使用することにより潜在的な問題が生じる。
【００１１】
図３を参照する。図３は、公知技術による、同等ＲＬＣ　ＡＭエンティティの伝送ウィンドウ（ｔｒａｎｓｍｉｔ　ｗｉｎｄｏｗ）を示す状態図である。一般の操作において、ＲＬＣ　ＡＭエンティティ（伝送端）１４は、ＡＭデータＰＤＵをＲＬＣ　ＡＭエンティティ（受信端）２４に伝送し、各ＰＤＵは、シーケンス番号（ｓｅｑｕｅｎｃｅ　ｎｕｍｂｅｒ、ＳＮ）を有する。シーケンス番号ＳＮは、ｎビットの固定ビット長さである。好ましい具体例において、ビット長さｎは１２である。よって、シーケンス番号ＳＮの範囲は０〜４０９５（２１２−１）である。シーケンス番号ＳＮの状態図は、よって、円形になる。以下の例において、点３０は、ＳＴＡＴＵＳ　ＰＤＵの形式で、受信端からの応答を待つ伝送端のＰＤＵ　　ＳＮの最低値で、応答したＰＤＵの情報を含む。言い換えると、点３０は、伝送ウィンドウの開始位置を示す。本例において、ウィンドウサイズ＝Ｘと仮定する。点３２は、既に伝送されたＡＭＤ　ＰＤＵ中の最高のＰＤＵ　ＳＮ値である。これにより、伝送ウィンドウの満杯を防止するため、点３２と点３０でのＰＤＵ　ＳＮ値の差は、Ｘより小さくなければならない。さもなければ、伝送ウィンドウは満杯となり、デッドロック（ｄｅａｄｌｏｃｋ）が生じる。デッドロックは、伝送端から受信端に送られたＡＭＤ　ＰＤＵが、受信端により正確に応答されない場合が生じる。よって、点３０は静止状態になり、点３０と点３２間の差は、最大ウィンドウサイズＸになる。
【００１２】
【非特許文献１】
“無線・リンク・コントロール・プロトコル仕様（ＲＬＣ　ｐｒｏｔｏｃｏｌ　ｓｐｅｃｉｆｉｃａｔｉｏｎ）”、３ＧＰＰ　ＴＳ　２５．３２２　Ｖ３．１１．０、サード・ジェネレーション・パートナーシップ・プロジェクト・オーガニゼイショナル・パートナーズ（３ｒｄ　Ｇｅｎｅｒａｔｉｏｎ　Ｐａｒｔｎｅｒｓｈｉｐ　Ｐｒｏｊｅｃｔ　Ｏｒｇａｎｉｚａｔｉｏｎａｌ　ｐａｒｔｎｅｒｓ）、２００２年６月、［平成１５年６月２６日検索］、インターネット＜ＵＲＬ：ｈｔｔｐ：／／ｗｗｗ．ｑｕｉｎｔｉｌｌｉｏｎ．ｃｏ．ｊｐ／３ＧＰＰ／Ｓｐｅｃｓ／２５３２２−３ｂ０．ｐｄｆ＞
【００１３】
【発明が解決しようとする課題】
図４を参照する。図４は、公知技術による、リセット工程と再構築工程間のＴｉｍｅｒ＿Ｐｏｌｌ＿Ｐｅｒｉｏｄｉｃタイマーに生じる問題を示すメッセージ手順表である。Ｔｉｍｅｒ＿Ｐｏｌｌ＿Ｐｅｒｉｏｄｉｃタイマーは、ＲＬＣ　ＡＭエンティティ１４により用いられ、ＲＬＣ　ＡＭエンティティ２４をポール（ｐｏｌｌ）して、ＳＴＡＴＵＳ　ＰＤＵを伝送する。ＲＬＣ　ＡＭエンティティ１４のＴｉｍｅｒ＿Ｐｏｌｌ＿Ｐｅｒｉｏｄｉｃタイマーが期限切れの時、ポール要求は、ＲＬＣ　ＡＭエンティティ２４に送られて、ＳＴＡＴＵＳ　ＰＤＵをＲＬＣ　ＡＭエンティティ１４に送りかえすよう要求する。
【００１４】
先ず、ＲＬＣ　ＡＭエンティティ１４が生成される時、Ｔｉｍｅｒ＿Ｐｏｌｌ＿Ｐｅｒｉｏｄｉｃタイマーが起動し、第一ステーション１０のＲＬＣ　ＡＭエンティティ１４に用いられる。次に、ＲＥＳＥＴ　ＰＤＵ、或いはＲＥＳＥＴ　ＡＣＫ　ＰＤＵの受信時、ＲＬＣ　ＡＭエンティティ１４はリセットされ、Ｔｉｍｅｒ＿Ｐｏｌｌ＿Ｐｅｒｉｏｄｉｃタイマーは停止される。リセット工程の後、Ｔｉｍｅｒ＿Ｐｏｌｌ＿Ｐｅｒｉｏｄｉｃタイマーは再度、起動されることはなく、タイマーの期限切れ時、ＲＬＣ　ＡＭエンティティ２４にポールすることが出来ない。よって、図３において、点３０が示す低いＳＮのＡＭＤ　ＰＤＵは、応答されない。点３０が移動しないので、点３２と点３０間の差は、最後にＸになる。よって、タイマーが停止状態を維持しているため、デッドロックが生じ、ＲＬＣ　ＡＭエンティティ１４は、追加のＰＤＵをＲＬＣ　ＡＭエンティティ２４に伝送することが出来ない。
【００１５】
図５を参照する。図５は、公知技術による、リセット工程中と再構築工程中のＴｉｍｅｒ＿Ｓｔａｔｕｓ＿Ｐｅｒｉｏｄｉｃタイマーに生じる問題を示すメッセージ手順表である。以下の説明は、ＲＬＣ　ＡＭエンティティ１４が、Ｔｉｍｅｒ＿Ｐｏｌｌ＿Ｐｅｒｉｏｄｉｃタイマーを用いると設定され、ＲＬＣ　ＡＭエンティティ２４が、Ｔｉｍｅｒ＿Ｓｔａｔｕｓ＿Ｐｅｒｉｏｄｉｃタイマーを用いると設定される時の状況である。Ｔｉｍｅｒ＿Ｓｔａｔｕｓ＿Ｐｅｒｉｏｄｉｃタイマーは、ＲＬＣ　ＡＭエンティティ２４により用いられて、ＳＴＡＴＵＳ　ＰＤＵを、同等のＲＬＣ　ＡＭエンティティ１４に伝送する。ＲＬＣ　ＡＭエンティティ２４のＴｉｍｅｒ＿Ｓｔａｔｕｓ＿Ｐｅｒｉｏｄｉｃタイマーが期限切れの時、ＳＴＡＴＵＳ　ＰＤＵが生成され、ＲＬＣ　ＡＭエンティティ１４に伝送される。ＳＴＡＴＵＳ　ＰＤＵはＲＬＣ　ＡＭエンティティ１４に、ＡＭＤ　　ＰＤＵが既に応答したことを報告する。
【００１６】
まず、ＲＬＣ　ＡＭエンティティ２４が生成される時、Ｔｉｍｅｒ＿Ｓｔａｔｕｓ＿Ｐｅｒｉｏｄｉｃタイマーが起動し、第二ステーション２０のＲＬＣ　ＡＭエンティティ２４に用いられる。また、“遺失ＰＤＵの検出”状態機能（ｓｔａｔｕｓ　ｆｕｎｃｔｉｏｎ）は、ＲＬＣ　ＡＭエンティティ２４に設定される。この機能が設定される場合、遺失ＰＤＵが検出される時だけ起動される。続いて、ＲＥＳＥＴ　ＰＤＵ、或いはＲＥＳＥＴ　ＡＣＫ　ＰＤＵの受信時、ＲＬＣ　ＡＭエンティティ２４がリセットされ、Ｔｉｍｅｒ＿Ｓｔａｔｕｓ＿Ｐｅｒｉｏｄｉｃタイマーは停止される。リセット工程の後、Ｔｉｍｅｒ＿Ｓｔａｔｕｓ＿Ｐｅｒｉｏｄｉｃタイマーは再度、起動されることはない。よって、Ｔｉｍｅｒ＿Ｓｔａｔｕｓ＿Ｐｅｒｉｏｄｉｃタイマーは再起動されず、タイマーの期限切れ時、ＲＬＣ　ＡＭエンティティ１４にポールを起動することが出来ない。よって、図３において、点３０が示す低いＳＮのＡＭＤ　　ＰＤＵは、応答されない。点３０が移動しないので、点３２と点３０間の差は、最後にＸになる。よって、タイマーが停止状態を維持しているため、デッドロックが生じ、ＲＬＣ　ＡＭエンティティ２４は、追加のＰＤＵをＲＬＣ　ＡＭエンティティ１４に伝送することが出来ない。
【００１７】
総合すると、ＲＬＣ　ＡＭエンティティ１４が設定されて、Ｔｉｍｅｒ＿Ｐｏｌｌ＿Ｐｅｒｉｏｄｉｃタイマーを用いても、ＲＬＣ　ＡＭエンティティ２４が設定されて、Ｔｉｍｅｒ＿Ｓｔａｔｕｓ＿Ｐｅｒｉｏｄｉｃタイマーを用いても、リセット工程中で、どちらのタイマーも停止する。更に、これらのタイマーの停止後、再起動することはない。よって、デッドロックは、これらの二つのタイマーが停止することにより生じる。
【００１８】
図６を参照する。図６は、公知技術による、リセット工程と再構築工程中のＴｉｍｅｒ＿Ｄｉｓｃａｒｄタイマーに生じる問題を示すメッセージ手順表である。
Ｔｉｍｅｒ＿Ｄｉｓｃａｒｄタイマーは、ＲＬＣ　ＡＭエンティティ１４及び２４により用いられ（ここでは、ＲＬＣ　ＡＭエンティティ１４だけを例として説明する）、上層から受信されたＳＤＵ１３がいつ破棄すべきかを決定する。一つのＳＤＵ１３に対し、ＲＬＣ　ＡＭエンティティ１４は上層から受信し、対応するＴｉｍｅｒ＿Ｄｉｓｃａｒｄタイマーが起動されて、そのＳＤＵに用いられる。ＲＬＣ　ＡＭエンティティ１４のＴｉｍｅｒ＿Ｄｉｓｃａｒｄタイマーが期限切れの時、ＳＤＵ１３が未だ、ＲＬＣ　ＡＭエンティティ１４内に残っている場合、対応するＳＤＵ１３は破棄される。
【００１９】
まず、ＲＬＣ　ＡＭエンティティ１４が上層からＳＤＵ１３を受信した時、Ｔｉｍｅｒ＿Ｄｉｓｃａｒｄタイマーが起動して、ＳＤＵ１３に用いられる。次に、ＲＥＳＥＴ　ＰＤＵ、或いはＲＥＳＥＴＡＣＫ　ＰＤＵの受信時、ＲＬＣ　ＡＭエンティティ１４がリセットされ、Ｔｉｍｅｒ＿Ｄｉｓｃａｒｄタイマーは停止される。リセット工程の後、対応するＳＤＵ１３のＴｉｍｅｒ＿Ｄｉｓｃａｒｄタイマーは再度、起動されることはない。よって、Ｔｉｍｅｒ＿Ｄｉｓｃａｒｄタイマーは再起動されず、対応するＳＤＵ１３は、適切に処理されない。ＲＬＣ　ＡＭエンティティ１４に保持されているこれらのＳＤＵ１３は破棄出来ないので、ＲＬＣ　ＡＭエンティティ１４はこれらのＳＤＵ１３に対し責任を負えず、サービスの品質（ＱｏＳ）は維持できない。
【００２０】
これにより、現在の３ＧＰＰ仕様は、前述のタイマーが再構築時にどのように処理するかを明確にしておらず、デットロックが発生し、ＱｏＳは大幅に低下する。
本発明は、ワイヤレスコミュニケーションシステムにおいて、ＲＬＣリセット、或いは再構築の後、タイマーを処理する方法を提供し、上述の問題を解決することを目的とする。
【００２１】
【課題を解決するための手段】
本発明によると、ワイヤレスコミュニケーションシステムにおいてタイマーを処理する方法は、ＲＬＣ　ＡＭエンティティのために、Ｔｉｍｅｒ＿Ｐｏｌｌ＿Ｐｅｒｉｏｄｉｃタイマーを起動する工程と、前記ＲＬＣ　ＡＭエンティティのために、リセット工程を実行する工程と、前記リセット工程が完了する前に、前記Ｔｉｍｅｒ＿Ｐｏｌｌ＿Ｐｅｒｉｏｄｉｃタイマーの期限切れ（ｅｘｐｉｒｉｎｇ）に応答して前記Ｔｉｍｅｒ＿Ｐｏｌｌ＿Ｐｅｒｉｏｄｉｃタイマーを再起動し、する工程と、を備える。本発明は、ＲＬＣリセット、或いは再構築の後、８つのタイマーの適切な処理を開示する。
本発明は、ＲＬＣリセット、或いは再構築の後、各タイマーを適切に処理するので、その長所は、ＲＬＣ　ＡＭエンティティをデッドロックから回避し、ＱｏＳの減少を防止することである。
【００２２】
【発明の実施の形態】
上述した本発明の目的、特徴、及び長所をいっそう明瞭にするため、以下に本発明の好ましい実施の形態を挙げ、図を参照にしながらさらに詳しく説明する。
【００２３】
図７（Ａ）及び図７（Ｂ）を参照する。図７（Ａ）及び図７（Ｂ）は、本発明による、リセット工程（ｒｅｓｅｔ　ｐｒｏｃｅｄｕｒｅ）中で、Ｔｉｍｅｒ＿Ｐｏｌｌ＿Ｐｅｒｉｏｄｉｃタイマーの処理を示すメッセージ手順表である。便宜上、図７（Ａ）及び図７（Ｂ）とその後の全メッセージ手順表は、リセット工程を初期化する第一ステーション１０の観点から説明されている。しかし、本発明は第一ステーション１０と第二ステーション２０両方の観点から、全面的に説明することが出来る。
【００２４】
先ず、ＲＬＣ　ＡＭエンティティ１４が生成される時、Ｔｉｍｅｒ＿Ｐｏｌｌ＿Ｐｅｒｉｏｄｉｃタイマーが起動されて、第一ステーション１０のＲＬＣ　ＡＭエンティティ１４に使用される。次に、ＲＬＣ　ＡＭエンティティ１４は、ＲＥＳＥＴ　ＰＤＵを第二ステーション２０のＲＬＣＡＭエンティティ２４に送ることにより、リセット工程を開始する。ＲＬＣ　ＡＭエンティティ１４が既に、ＲＥＳＥＴ　ＰＤＵをＲＬＣ　ＡＭエンティティ２４に伝送したが、ＲＥＳＥＴＡＣＫ　ＰＤＵ形式の確認応答（ａｃｋｎｏｗｌｅｄｇｅｍｅｎｔ）を未だ受信していない時、Ｔｉｍｅｒ＿Ｐｏｌｌ＿Ｐｅｒｉｏｄｉｃタイマーが期限切れ（ｅｘｐｉｒａｔｉｏｎ）になれば、本発明の方法は、Ｔｉｍｅｒ＿Ｐｏｌｌ＿Ｐｅｒｉｏｄｉｃタイマーを再起動する工程を含む。ＲＬＣ　ＡＭエンティティ１４がＲＥＳＥＴ　ＡＣＫ　ＰＤＵを受信する時、リセット工程が終了する。ＲＥＳＥＴ　ＡＣＫ　ＰＤＵを受信する時、本発明の方法は、Ｔｉｍｅｒ＿Ｐｏｌｌ＿Ｐｅｒｉｏｄｉｃタイマーを停止させない工程、すなわち、タイマーの値を維持し、タイマーの操作を維持する工程を含む。或いは、図７（Ｂ）で示されるように、本発明の方法は、単にそれを停止させないのではなく、Ｔｉｍｅｒ＿Ｐｏｌｌ＿Ｐｅｒｉｏｄｉｃタイマーを再起動する工程を含む。
【００２５】
もう一方で、第二ステーション２０のＲＬＣ　ＡＭエンティティ２４は、Ｔｉｍｅｒ＿Ｐｏｌｌ＿Ｐｅｒｉｏｄｉｃタイマーを作動させると仮定する。ＲＬＣ　ＡＭエンティティ２４はＲＥＳＥＴＰＤＵを受信してリセット工程を開始する時、本発明の方法は、Ｔｉｍｅｒ＿Ｐｏｌｌ＿Ｐｅｒｉｏｄｉｃタイマーを停止させない工程と、或いは、Ｔｉｍｅｒ＿Ｐｏｌｌ＿Ｐｅｒｉｏｄｉｃタイマーを再起動する工程と、を含む。
【００２６】
よって、リセット工程にとって、Ｔｉｍｅｒ＿Ｐｏｌｌ＿Ｐｅｒｉｏｄｉｃタイマーの処理は、以下のように要約される。ＲＥＳＥＴ　ＰＤＵが既に伝送されたが、ＲＥＳＥＴ　ＡＣＫ　ＰＤＵの確認応答を受信していない時、Ｔｉｍｅｒ＿Ｐｏｌｌ＿Ｐｅｒｉｏｄｉｃタイマーが期限切れになれば、Ｔｉｍｅｒ＿Ｐｏｌｌ＿Ｐｅｒｉｏｄｉｃタイマーは再起動される。ＲＥＳＥＴ　ＰＤＵ、或いは、ＲＥＳＥＴ　ＡＣＫ　ＰＤＵが受信される時、Ｔｉｍｅｒ＿Ｐｏｌｌ＿Ｐｅｒｉｏｄｉｃタイマーは停止されない、或いは再起動される。Ｔｉｍｅｒ＿Ｐｏｌｌ＿Ｐｅｒｉｏｄｉｃタイマーを停止させない、或いは再起動することにより、ＲＬＣ　ＡＭエンティティ１４は、継続してＲＬＣ　ＡＭエンティティ２４に貯めることが出来、デッドロック状態になるのを防止する。
【００２７】
図８（Ａ）及び図８（Ｂ）を参照する。図８（Ａ）及び図８（Ｂ）は、本発明による、再構築作用中の、Ｔｉｍｅｒ＿Ｐｏｌｌ＿Ｐｅｒｉｏｄｉｃタイマーの処理を示すメッセージ手順表である。ＲＬＣ　ＡＭエンティティ１４が上層により再構築された後、本発明の方法は、Ｔｉｍｅｒ＿Ｐｏｌｌ＿Ｐｅｒｉｏｄｉｃタイマーを停止させない工程、すなわち、タイマーの値を維持し、タイマーの操作を維持する工程を含む。或いは、図８（Ｂ）で示されるように、本発明の方法は、Ｔｉｍｅｒ＿Ｐｏｌｌ＿Ｐｅｒｉｏｄｉｃタイマーを再起動する工程を含む。
【００２８】
よって、再構築工程にとって、Ｔｉｍｅｒ＿Ｐｏｌｌ＿Ｐｅｒｉｏｄｉｃタイマーの処理は、以下のように要約される。再構築された後、Ｔｉｍｅｒ＿Ｐｏｌｌ＿Ｐｅｒｉｏｄｉｃタイマーは停止されない、或いは再起動される。Ｔｉｍｅｒ＿Ｐｏｌｌ＿Ｐｅｒｉｏｄｉｃタイマーを停止させない、或いは再起動することにより、再構築された後のＲＬＣ　ＡＭエンティティ１４は、継続してＲＬＣ　ＡＭエンティティ２４に貯めることが出来、デッドロック状態になるのを防止する。
【００２９】
図９（Ａ）及び図９（Ｂ）を参照する。図９（Ａ）及び図９（Ｂ）は、本発明による、リセット工程中で、Ｔｉｍｅｒ＿Ｓｔａｔｕｓ＿Ｐｅｒｉｏｄｉｃタイマーの処理を示すメッセージ手順表である。まず、ＲＬＣ　ＡＭエンティティ１４が生成される時、Ｔｉｍｅｒ＿Ｓｔａｔｕｓ＿Ｐｅｒｉｏｄｉｃタイマーが起動されて、第一ステーション１０のＲＬＣ　　ＡＭエンティティ１４に使用される。次に、ＲＬＣ　ＡＭエンティティ１４は、ＲＥＳＥＴ　ＰＤＵを第二ステーション２０のＲＬＣ　ＡＭエンティティ２４に送ることにより、リセット工程を開始する。ＲＬＣ　ＡＭエンティティ１４が既に、ＲＥＳＥＴ　ＰＤＵをＲＬＣ　ＡＭエンティティ２４に伝送したが、ＲＥＳＥＴ　ＡＣＫ　ＰＤＵ形式の確認応答を未だ受信していない時、Ｔｉｍｅｒ＿Ｓｔａｔｕｓ＿Ｐｅｒｉｏｄｉｃタイマーが期限切れになれば、本発明の方法は、Ｔｉｍｅｒ＿Ｓｔａｔｕｓ＿Ｐｅｒｉｏｄｉｃタイマーを再起動する工程を含む。ＲＬＣ　ＡＭエンティティ１４がＲＥＳＥＴ　ＡＣＫ　ＰＤＵを受信する時、リセット工程が終了する。ＲＥＳＥＴ　ＡＣＫ　ＰＤＵを受信する時、本発明の方法は、Ｔｉｍｅｒ＿Ｓｔａｔｕｓ＿Ｐｅｒｉｏｄｉｃタイマーを停止させない工程、すなわち、タイマーの値を維持し、タイマーの操作を維持する工程を含む。或いは、図９（Ｂ）で示されるように、本発明の方法は、単にそれを停止させないのではなく、Ｔｉｍｅｒ＿Ｓｔａｔｕｓ＿Ｐｅｒｉｏｄｉｃタイマーを再起動する工程を含む。
【００３０】
もう一方で、第二ステーション２０のＲＬＣ　ＡＭエンティティ２４は、Ｔｉｍｅｒ＿Ｓｔａｔｕｓ＿Ｐｅｒｉｏｄｉｃタイマーを作動させると仮定する。ＲＬＣ　ＡＭエンティティ２４はＲＥＳＥＴ　ＰＤＵを受信してリセット工程を開始する時、本発明の方法はＴｉｍｅｒ＿Ｓｔａｔｕｓ＿Ｐｅｒｉｏｄｉｃタイマーを停止させない工程、或いは、Ｔｉｍｅｒ＿Ｓｔａｔｕｓ＿Ｐｅｒｉｏｄｉｃタイマーを再起動する工程と、を含む。
【００３１】
よって、リセット工程にとって、Ｔｉｍｅｒ＿Ｓｔａｔｕｓ＿Ｐｅｒｉｏｄｉｃタイマーの処理は、以下のように要約される。ＲＥＳＥＴ　ＰＤＵが既に伝送されたが、ＲＥＳＥＴ　ＡＣＫ　ＰＤＵの確認応答を受信していない時、Ｔｉｍｅｒ＿Ｓｔａｔｕｓ＿Ｐｅｒｉｏｄｉｃタイマーが期限切れになれば、Ｔｉｍｅｒ＿Ｓｔａｔｕｓ＿Ｐｅｒｉｏｄｉｃタイマーは再起動される。ＲＥＳＥＴ　ＰＤＵ、或いは、ＲＥＳＥＴ　ＡＣＫ　ＰＤＵが受信される時、Ｔｉｍｅｒ＿Ｓｔａｔｕｓ＿Ｐｅｒｉｏｄｉｃタイマーは停止されない、或いは再起動される。Ｔｉｍｅｒ＿Ｓｔａｔｕｓ＿Ｐｅｒｉｏｄｉｃタイマーを停止させない、或いは再起動することにより、ＲＬＣ　ＡＭエンティティ１４は、継続してＲＬＣ　ＡＭエンティティ２４に貯めることが出来、デッドロック状態になるのを防止する。
【００３２】
図１０（Ａ）及び図１０（Ｂ）を参照する。図１０（Ａ）及び図１０（Ｂ）は、本発明による、再構築作用中の、Ｔｉｍｅｒ＿Ｓｔａｔｕｓ＿Ｐｅｒｉｏｄｉｃタイマーの処理を示すメッセージ手順表である。ＲＬＣ　ＡＭエンティティ１４が上層により再構築された後、本発明の方法は、Ｔｉｍｅｒ＿Ｓｔａｔｕｓ＿Ｐｅｒｉｏｄｉｃタイマーを停止させない工程、すなわち、タイマーの値を維持し、タイマーの操作を維持する工程を含む。或いは、図１０（Ｂ）で示されるように、本発明の方法は、Ｔｉｍｅｒ＿Ｓｔａｔｕｓ＿Ｐｅｒｉｏｄｉｃタイマーを再起動する工程を含む。
【００３３】
よって、再構築工程にとって、Ｔｉｍｅｒ＿Ｓｔａｔｕｓ＿Ｐｅｒｉｏｄｉｃタイマーの処理は、以下のように要約される。再構築された後、Ｔｉｍｅｒ＿Ｓｔａｔｕｓ＿Ｐｅｒｉｏｄｉｃタイマーは停止されない、或いは再起動される。Ｔｉｍｅｒ＿Ｓｔａｔｕｓ＿Ｐｅｒｉｏｄｉｃタイマーを停止させない、或いは再起動することにより、再構築された後のＲＬＣ　ＡＭエンティティ１４は、継続してＳＴＡＴＵＳ　ＰＤＵをＲＬＣ　ＡＭエンティティ２４に送ることが出来、デッドロック状態になるのを防止する。
【００３４】
図１１（Ａ）及び図１１（Ｂ）を参照する。図１１（Ａ）及び図１１（Ｂ）は、本発明による、リセット工程中で、Ｔｉｍｅｒ＿Ｄｉｓｃａｒｄタイマーの処理を示すメッセージ手順表である。まず、ＳＤＵ１３が上層から受信される時、Ｔｉｍｅｒ＿Ｄｉｓｃａｒｄタイマーが起動されて、ＲＬＣ　ＡＭエンティティ１４の各ＳＤＵ１３に使用される。次に、ＲＬＣ　ＡＭエンティティ１４がＲＥＳＥＴ　ＰＤＵをＲＬＣ　ＡＭエンティティ２４に伝送するようにトリガされた場合、本発明の方法は、対応するＳＤＵ１３が破棄される場合、Ｔｉｍｅｒ＿Ｄｉｓｃａｒｄタイマーを停止する工程を含む。その後、ＲＬＣ　ＡＭエンティティ１４は、ＲＥＳＥＴ　ＰＤＵを第二ステーション２０のＲＬＣ　ＡＭエンティティ２４に送ることにより、リセット工程を開始する。
【００３５】
ＲＬＣ　ＡＭエンティティ１４が既に、ＲＥＳＥＴ　ＰＤＵをＲＬＣ　ＡＭエンティティ２４に伝送したが、ＲＥＳＥＴ　ＡＣＫ　ＰＤＵ形式の確認応答を未だ受信していない時、Ｔｉｍｅｒ＿Ｄｉｓｃａｒｄタイマーが期限切れになれば、本発明の方法は、Ｔｉｍｅｒ＿Ｄｉｓｃａｒｄタイマーを再起動しない工程を含む。その後、ＲＬＣ　ＡＭエンティティ１４がＲＥＳＥＴ　ＡＣＫ　ＰＤＵを受信する時、リセット工程が終了する。
【００３６】
ＲＥＳＥＴ　ＡＣＫ　ＰＤＵを受信する時、本発明の方法は、対応するＳＤＵ１３が破棄されない場合、Ｔｉｍｅｒ＿Ｄｉｓｃａｒｄタイマーを停止させない工程、或いは、対応するＳＤＵ１３が破棄される場合、Ｔｉｍｅｒ＿Ｄｉｓｃａｒｄタイマーを停止する工程と、を含む。或いは、図１１（Ｂ）で示されるように、本発明の方法は、対応するＳＤＵ１３が破棄されない場合、Ｔｉｍｅｒ＿Ｄｉｓｃａｒｄタイマーを再起動する工程、或いは、対応するＳＤＵ１３が破棄される場合、Ｔｉｍｅｒ＿Ｄｉｓｃａｒｄタイマーを停止する工程と、を含む。
【００３７】
もう一方で、第二ステーション２０のＲＬＣ　ＡＭエンティティ２４は、Ｔｉｍｅｒ＿Ｄｉｓｃａｒｄタイマーを作動させると仮定する。ＲＬＣ　ＡＭエンティティ２４はＲＥＳＥＴ　ＰＤＵを受信してリセット工程を開始する時、対応するＳＤＵ１３が破棄されない場合、本発明の方法は、Ｔｉｍｅｒ＿Ｄｉｓｃａｒｄタイマーを停止させない、又は、再起動する工程、或いは、対応するＳＤＵ１３が破棄される場合、Ｔｉｍｅｒ＿Ｄｉｓｃａｒｄタイマーを停止する工程と、を含む。
【００３８】
よって、リセット工程にとって、Ｔｉｍｅｒ＿Ｄｉｓｃａｒｄタイマーの処理は、以下のように要約される。リセット工程をトリガする状態（ｃｏｎｄｉｔｉｏｎ）が検出される時、対応するＳＤＵが破棄される場合、Ｔｉｍｅｒ＿Ｄｉｓｃａｒｄタイマーは停止される。ＲＥＳＥＴ　ＰＤＵが既に伝送されたが、ＲＥＳＥＴ　ＡＣＫ　ＰＤＵの確認応答を受信していない時、Ｔｉｍｅｒ＿Ｄｉｓｃａｒｄタイマーが期限切れになれば、Ｔｉｍｅｒ＿Ｄｉｓｃａｒｄタイマーは再起動されない。ＲＥＳＥＴ　ＰＤＵ、或いは、ＲＥＳＥＴ　ＡＣＫ　ＰＤＵが受信される時、対応するＳＤＵが破棄されない場合、Ｔｉｍｅｒ＿Ｄｉｓｃａｒｄタイマーは停止されない、或いは再起動される。ＲＥＳＥＴ　ＰＤＵ、或いは、ＲＥＳＥＴ　ＡＣＫ　ＰＤＵが受信される時、対応するＳＤＵが破棄される場合、Ｔｉｍｅｒ＿Ｄｉｓｃａｒｄタイマーは停止される。
【００３９】
注意すべきことは、以下の２種類の状況時、Ｔｉｍｅｒ＿Ｄｉｓｃａｒｄタイマーは停止されることである。リセット工程をトリガする状態が検出される時と、対応するＳＤＵが破棄される状況下で、ＲＥＳＥＴ　ＰＤＵ、或いは、ＲＥＳＥＴ　ＡＣＫ　ＰＤＵが受信される時、である。破棄されないＳＤＵのために、Ｔｉｍｅｒ＿Ｄｉｓｃａｒｄタイマーを停止しない、或いは再起動により、ＲＬＣ　ＡＭエンティティ１４は、破棄されないＳＤＵ１３の責任を負い、サービス品質を維持する。
【００４０】
図１２を参照する。図１２は、本発明による、再構築作用中の、Ｔｉｍｅｒ＿Ｄｉｓｃａｒｄタイマーの処理を示すメッセージ手順表である。ＲＬＣ　ＡＭエンティティ１４が上層により再構築された後、本発明の方法は、対応するすべてのＳＤＵが破棄されるため、Ｔｉｍｅｒ＿Ｄｉｓｃａｒｄタイマーを停止する工程を含む。
【００４１】
図１３を参照する。図１３は、本発明による、リセット工程中で、Ｔｉｍｅｒ＿　Ｐｏｌｌタイマーの処理を示すメッセージ手順表である。まず、ポールが、ＲＬＣ　ＡＭ　エンティティ１４により伝送される時、Ｔｉｍｅｒ＿Ｐｏｌｌタイマーが起動されて、ＲＬＣ　ＡＭエンティティ１４に使用される。次に、ＲＬＣ　ＡＭエンティティ１４がＲＥＳＥＴ　ＰＤＵをＲＬＣ　ＡＭエンティティ２４に伝送するようにトリガされた場合、本発明は、Ｔｉｍｅｒ＿Ｐｏｌｌタイマーを停止する工程を含む。その後、ＲＬＣ　ＡＭエンティティ１４は、ＲＥＳＥＴ　ＰＤＵを第二ステーション２０のＲＬＣ　ＡＭエンティティ２４に送ることにより、リセット工程を開始する。ＲＬＣ　ＡＭエンティティ１４が既に、ＲＥＳＥＴ　ＰＤＵをＲＬＣ　ＡＭエンティティ２４に伝送したが、ＲＥＳＥＴ　ＡＣＫ　ＰＤＵ形式の確認応答を未だ受信していない時、Ｔｉｍｅｒ＿Ｐｏｌｌタイマーが期限切れになれば、本発明の方法は、Ｔｉｍｅｒ＿Ｐｏｌｌタイマーを再起動しない工程を含む。その後、ＲＬＣ　ＡＭエンティティ１４がＲＥＳＥＴ　ＡＣＫ　ＰＤＵを受信する時、リセット工程が終了する。ＲＥＳＥＴ　ＡＣＫ　ＰＤＵを受信する時、本発明の方法は、Ｔｉｍｅｒ＿Ｐｏｌｌタイマーを停止する工程を含む。
【００４２】
一方で、第二ステーション２０のＲＬＣ　ＡＭエンティティ２４は、Ｔｉｍｅｒ＿Ｐｏｌｌタイマーを作動させると仮定する。ＲＬＣ　ＡＭエンティティ２４がＲＥＳＥＴ　ＰＤＵを受信して、リセット工程を開始する時、本発明の工程は、Ｔｉｍｅｒ＿Ｐｏｌｌタイマーを停止する工程を含む。
【００４３】
本発明はなぜ、リセット工程において、Ｔｉｍｅｒ＿Ｐｏｌｌタイマーを停止するか、以下で説明する。一般に、ＲＬＣ　ＡＭエンティティは、どのＰＤＵが同等ＲＬＣ　ＡＭエンティティによって正確に受信されたかを知りたい場合、ＲＬＣ　ＡＭエンティティは、ポールを伝送して、同等ＲＬＣ　ＡＭエンティティにこの情報を含むＳＴＡＴＵＳ　ＰＤＵを伝送するように要求する。しかし、リセットの後、ＲＬＣ　ＡＭエンティティは、ＲＬＣ　ＡＭエンティティの伝送端側でリセットされる前に伝送された全ＲＬＣ　ＳＤＵを破棄し、ＲＬＣ　ＡＭエンティティの受信端側の全ＲＬＣ　ＰＤＵを破棄し、全プロトコル状態とプロトコル変化をリセットする。リセット後のＲＬＣ　ＡＭエンティティの状態は、ＲＬＣ　ＡＭエンティティの構築後の初期状態に類似しているため、Ｔｉｍｅｒ＿Ｐｏｌｌタイマーは停止しなければならない。
【００４４】
よって、リセット工程にとって、Ｔｉｍｅｒ＿Ｐｏｌｌタイマーの処理は、以下のように要約される。リセット工程をトリガする状態が検出される時、Ｔｉｍｅｒ＿Ｐｏｌｌタイマーは停止される。ＲＥＳＥＴ　ＰＤＵが既に伝送されたが、ＲＥＳＥＴ　ＡＣＫ　ＰＤＵの確認応答を受信していない時、Ｔｉｍｅｒ＿Ｐｏｌｌタイマーが期限になれば、Ｔｉｍｅｒ＿Ｐｏｌｌタイマーは再起動されない。ＲＥＳＥＴ　ＰＤＵ、或いは、ＲＥＳＥＴ　ＡＣＫ　ＰＤＵが受信される時、Ｔｉｍｅｒ＿Ｐｏｌｌタイマーは停止される。
【００４５】
注意すべきことは、以下の２種類の状況時、Ｔｉｍｅｒ＿Ｐｏｌｌタイマーは停止されることである。リセット工程をトリガする状態が検出される時と、ＲＥＳＥＴ　ＰＤＵ、或いは、ＲＥＳＥＴ　ＡＣＫ　ＰＤＵが受信される時、である。リセット工程の後、Ｔｉｍｅｒ＿Ｐｏｌｌタイマーを停止することにより、リセット後のＲＬＣ　ＡＭエンティティの状態は、構築後のＲＬＣ　ＡＭエンティティの初期状態に類似している。
【００４６】
図１４を参照する。図１４は、本発明による、再構築工程中の、Ｔｉｍｅｒ＿Ｐｏｌｌタイマーの処理を示すメッセージ手順表である。ＲＬＣ　ＡＭエンティティ１４が上層により再構築された後、本発明の方法は、上述と同じ理由で、Ｔｉｍｅｒ＿Ｐｏｌｌタイマーを停止する工程を含む。再構築後のＲＬＣ　ＡＭエンティティの状態は、構築後のＲＬＣ　ＡＭエンティティの初期状態に類似している。
【００４７】
図１５を参照する。図１５は、本発明による、リセット工程中で、Ｔｉｍｅｒ＿Ｐｏｌｌ＿Ｐｒｏｈｉｂｉｔタイマーの処理を示すメッセージ手順表である。まず、ポールが送信される時、ＲＬＣ　ＡＭエンティティ１４により、Ｔｉｍｅｒ＿Ｐｏｌｌ＿Ｐｒｏｈｉｂｉｔタイマーが起動される。ポーリングが禁止される間、もう一つのポールが開始される場合、その伝送はタイマーの期限切れまで遅延される。次に、ＲＬＣ　ＡＭエンティティ１４がＲＥＳＥＴ　ＰＤＵをＲＬＣ　ＡＭエンティティ２４に伝送するようにトリガされた場合、本発明の工程は、Ｔｉｍｅｒ＿Ｐｏｌｌ＿Ｐｒｏｈｉｂｉｔタイマーを停止する工程を含む。その後、ＲＬＣ　ＡＭエンティティ１４は、ＲＥＳＥＴ　ＰＤＵを第二ステーション２０のＲＬＣ　ＡＭエンティティ２４に送ることにより、リセット工程を開始する。ＲＬＣ　ＡＭエンティティ１４がＲＥＳＥＴ　ＡＣＫ　ＰＤＵを受信する時、リセット工程が終了する。ＲＥＳＥＴ　ＡＣＫ　ＰＤＵを受信する時、本発明の方法は、Ｔｉｍｅｒ＿Ｐｏｌｌ＿Ｐｒｏｈｉｂｉｔタイマーを停止する工程を含む。
【００４８】
もう一方で、第二ステーション２０のＲＬＣ　ＡＭエンティティ２４は、Ｔｉｍｅｒ＿Ｐｏｌｌ＿Ｐｒｏｈｉｂｉｔタイマーを作動させると仮定する。ＲＬＣ　ＡＭエンティティ２４はＲＥＳＥＴＰＤＵを受信してリセット工程を開始する時、本発明の方法は、Ｔｉｍｅｒ＿Ｐｏｌｌ＿Ｐｒｏｈｉｂｉｔタイマーを停止する工程を含む。Ｔｉｍｅｒ＿Ｐｏｌｌ＿Ｐｒｏｈｉｂｉｔタイマーは停止され、リセット工程後のＲＬＣ　ＡＭエンティティは、構築後のＲＬＣ　ＡＭエンティティの初期状態に類似している。
【００４９】
よって、リセット工程にとって、Ｔｉｍｅｒ＿Ｐｏｌｌ＿Ｐｒｏｈｉｂｉｔタイマーの処理は、以下のように要約される。リセット工程をトリガする状態が検出される時、Ｔｉｍｅｒ＿Ｐｏｌｌ＿Ｐｒｏｈｉｂｉｔタイマーは停止される。ＲＥＳＥＴ　ＰＤＵ、或いは、ＲＥＳＥＴ　ＡＣＫ　ＰＤＵが受信される時、Ｔｉｍｅｒ＿Ｐｏｌｌ＿Ｐｒｏｈｉｂｉｔタイマーは停止される。
【００５０】
注意すべきことは、以下の２種類の状況時、Ｔｉｍｅｒ＿Ｐｏｌｌ＿Ｐｒｏｈｉｂｉｔタイマーは停止されることである。リセット工程をトリガする状態が検出される時と、ＲＥＳＥＴ　ＰＤＵ、或いは、ＲＥＳＥＴ　ＡＣＫ　ＰＤＵが受信される時、である。リセット工程の後、Ｔｉｍｅｒ＿Ｐｏｌｌ＿Ｐｒｏｈｉｂｉｔタイマーを停止することにより、リセット後のＲＬＣ　ＡＭエンティティの状態は、構築後のＲＬＣ　ＡＭエンティティの初期状態に類似している。
【００５１】
図１６を参照する。図１６は、本発明による、再構築工程中の、Ｔｉｍｅｒ＿Ｐｏｌｌ＿Ｐｒｏｈｉｂｉｔタイマーの処理を示すメッセージ手順表である。ＲＬＣ　ＡＭエンティティ１４が上層により再構築された後、本発明の方法は、前述したように、Ｔｉｍｅｒ＿Ｐｏｌｌ＿Ｐｒｏｈｉｂｉｔタイマーを停止する工程を含む。再構築後のＲＬＣ　ＡＭエンティティの状態は、構築後のＲＬＣ　ＡＭエンティティの初期状態に類似している。
【００５２】
図１７を参照する。図１７は、本発明による、リセット工程中で、Ｔｉｍｅｒ＿　Ｓｔａｔｕｓ＿Ｐｒｏｈｉｂｉｔタイマーの処理を示すメッセージ手順表である。まず、上層により、Ｔｉｍｅｒ＿Ｓｔａｔｕｓ＿Ｐｒｏｈｉｂｉｔタイマーが起動されて、ＲＬＣ　ＡＭエンティティ１４に使用される。次に、ＲＬＣ　ＡＭエンティティ１４がＲＥＳＥＴ　ＰＤＵをＲＬＣ　ＡＭエンティティ２４に伝送するようにトリガされた場合、本発明の工程は、Ｔｉｍｅｒ＿Ｓｔａｔｕｓ＿Ｐｒｏｈｉｂｉｔタイマーを停止する工程を含む。その後、ＲＬＣ　ＡＭエンティティ１４は、ＲＥＳＥＴ　ＰＤＵを第二ステーション２０のＲＬＣ　ＡＭエンティティ２４に送ることにより、リセット工程を開始する。ＲＬＣ　ＡＭエンティティ１４がＲＥＳＥＴ　ＡＣＫ　ＰＤＵを受信する時、リセット工程が終了する。ＲＥＳＥＴ　ＡＣＫ　ＰＤＵを受信する時、本発明の方法は、Ｔｉｍｅｒ＿Ｓｔａｔｕｓ＿Ｐｒｏｈｉｂｉｔタイマーを停止する工程を含む。
【００５３】
もう一方で、第二ステーション２０のＲＬＣ　ＡＭエンティティ２４は、Ｔｉｍｅｒ＿Ｓｔａｔｕｓ＿Ｐｒｏｈｉｂｉｔタイマーを作動させると仮定する。ＲＬＣ　ＡＭエンティティ２４はＲＥＳＥＴ　ＰＤＵを受信してリセット工程を開始する時、本発明の方法は、Ｔｉｍｅｒ＿Ｓｔａｔｕｓ＿Ｐｒｏｈｉｂｉｔタイマーを停止する工程を含む。Ｔｉｍｅｒ＿Ｓｔａｔｕｓ＿Ｐｒｏｈｉｂｉｔタイマーは停止され、リセット工程後のＲＬＣ　ＡＭエンティティの状態は、構築後のＲＬＣ　ＡＭエンティティの初期状態に類似している。
【００５４】
よって、リセット工程にとって、Ｔｉｍｅｒ＿Ｓｔａｔｕｓ＿Ｐｒｏｈｉｂｉｔタイマーの処理は、以下のように要約される。リセット工程をトリガする状態が検出される時、Ｔｉｍｅｒ＿　Ｓｔａｔｕｓ＿Ｐｒｏｈｉｂｉｔタイマーは停止される。ＲＥＳＥＴ　ＰＤＵ、或いは、ＲＥＳＥＴ　ＡＣＫＰＤＵが受信される時、Ｔｉｍｅｒ＿Ｓｔａｔｕｓ＿Ｐｒｏｈｉｂｉｔタイマーは停止される。
【００５５】
注意すべきことは、以下の２種類の状況時、Ｔｉｍｅｒ＿　Ｓｔａｔｕｓ　＿Ｐｒｏｈｉｂｉｔタイマーは停止されることである。リセット工程をトリガする状態が検出される時と、ＲＥＳＥＴ　ＰＤＵ、或いは、ＲＥＳＥＴ　ＡＣＫ　ＰＤＵが受信される時、である。リセット工程の後、Ｔｉｍｅｒ＿　Ｓｔａｔｕｓ　＿Ｐｒｏｈｉｂｉｔタイマーを停止することにより、リセット後のＲＬＣ　ＡＭエンティティの状態は、構築後のＲＬＣ　ＡＭエンティティの初期状態に類似している。
【００５６】
図１８を参照する。図１８は、本発明による、再構築作用中の、Ｔｉｍｅｒ＿　Ｓｔａｔｕｓ＿Ｐｒｏｈｉｂｉｔタイマーの処理を示すメッセージ手順表である。ＲＬＣ　ＡＭエンティティ１４が上層により再構築された後、本発明の方法は、Ｔｉｍｅｒ＿Ｓｔａｔｕｓ＿Ｐｒｏｈｉｂｉｔタイマーを停止する工程を含む。その理由は前述したように、再構築後のＲＬＣ　ＡＭエンティティの状態は、構築後のＲＬＣ　ＡＭエンティティの状態に類似しているからである。
【００５７】
図１９を参照する。図１９は、本発明による、リセット工程中で、Ｔｉｍｅｒ＿　ＥＰＣタイマー及び推定ＰＤＵカウンタ（Ｅｓｔｉｍａｔｅｄ　ＰＤＵ　Ｃｏｕｎｔｅｒ、ＥＰＣ）メカニズムの処理を示すメッセージ手順表である。Ｔｉｍｅｒ＿ＥＰＣタイマーは、往復遅延（ｒｏｕｎｄｔｒｉｐ　ｄｅｌａｙ）の説明用で、往復遅延とは、状態報告　（ｓｔａｔｕｓ　ｒｅｐｏｒｔ）　の伝送と第一伝送ＡＭＤ　ＰＤＵの受信間の時間のことである。ＥＰＣメカニズムは同等ＲＬＣ　ＡＭエンティティの伝送端に、ＳＴＡＴＵＳ　ＰＤＵ内で指示されるＡＭＤ　ＰＤＵを再送するように要求するのに用いられる。
【００５８】
先ず、状態報告の第一ＳＴＡＴＵＳ　ＰＤＵがＲＬＣ　ＡＭエンティティ１４により伝送される時、Ｔｉｍｅｒ＿ＥＰＣタイマー及びＥＰＣメカニズムが開始されて、ＲＬＣ　ＡＭエンティティ１４に用いられる。次に、ＲＬＣ　ＡＭエンティティ１４がＲＥＳＥＴ　ＰＤＵをＲＬＣ　ＡＭエンティティ２４に伝送するようにトリガされた場合、本発明の方法は、ＥＰＣメカニズムを停止する工程を含む。その後、ＲＬＣ　ＡＭエンティティ１４は、第二ステーション２０のＲＬＣ　ＡＭエンティティ２４に、ＲＥＳＥＴ　ＰＤＵを伝送することにより、リセット工程を開始する。
【００５９】
ＲＬＣ　ＡＭエンティティ１４は、既に、ＲＥＳＥＴ　ＰＤＵをＲＬＣ　ＡＭエンティティ２４に伝送したが、ＲＥＳＥＴ　ＡＣＫ　ＰＤＵの確認応答を受信していない時、Ｔｉｍｅｒ＿ＥＰＣタイマーが期限切れになれば、本発明の方法は、ＥＰＣメカニズムを停止する工程を含む。ＲＬＣ　ＡＭエンティティ１４がＲＥＳＥＴ　ＡＣＫ　ＰＤＵを受信する時、リセット工程が終了する。ＲＥＳＥＴ　ＡＣＫ　ＰＤＵを受信する時、本発明の方法は、ＥＰＣメカニズムを停止する工程を含む。
【００６０】
もう一方で、第二ステーション２０のＲＬＣ　ＡＭエンティティ２４は、Ｔｉｍｅｒ＿ＥＰＣタイマーとＥＰＣメカニズムを作動させると仮定する。ＲＬＣ　ＡＭエンティティ２４はＲＥＳＥＴ　ＰＤＵを受信してリセット工程を開始する時、本発明の方法は、ＥＰＣメカニズムを停止する工程を含む。リセット後のＲＬＣ　ＡＭエンティティの状態は、構築後のＲＬＣ　ＡＭエンティティの初期状態に類似しているので、ＥＰＣメカニズムは停止されなければならない。
【００６１】
よって、リセット工程にとって、Ｔｉｍｅｒ＿ＥＰＣタイマー及びＥＰＣメカニズムの処理は、以下のように要約される。リセット工程をトリガする状態が検出される時、ＥＰＣタイマーは停止される。ＲＥＳＥＴ　ＰＤＵが既に伝送されたが、ＲＥＳＥＴ　ＡＣＫ　ＰＤＵの確認応答を受信していない時、Ｔｉｍｅｒ＿ＥＰＣタイマーが期限切れになれば、ＥＰＣメカニズムは停止される。ＲＥＳＥＴ　ＰＤＵ、或いは、ＲＥＳＥＴ　ＡＣＫ　ＰＤＵが受信される時、ＥＰＣメカニズムは停止される。
【００６２】
注意すべきことは、以下の２種類の状況時、ＥＰＣメカニズムは停止されることである。リセット工程をトリガする状態が検出される時と、ＲＥＳＥＴ　ＰＤＵ、或いは、ＲＥＳＥＴ　ＡＣＫ　ＰＤＵが受信される時、である。リセット工程の後、ＥＰＣメカニズムを停止することにより、リセット後のＲＬＣ　ＡＭエンティティの状態は、構築後のＲＬＣ　ＡＭエンティティの初期状態に類似している。
【００６３】
図２０を参照する。図２０は、本発明による、再構築工程中の、ＥＰＣメカニズムの処理を示すメッセージ手順表である。ＲＬＣ　ＡＭエンティティ１４が上層により再構築された後、本発明の方法は、ＥＰＣメカニズムを停止する工程を含む。その理由は前述したように、再構築後のＲＬＣ　ＡＭエンティティの状態は、構築後のＲＬＣ　ＡＭエンティティの状態に類似しているからである。
【００６４】
図２１を参照する。図２１は、本発明による、再構築工程中の、Ｔｉｍｅｒ＿ＲＳＴタイマーの処理を示すメッセージ手順表である。ＲＬＣ　ＡＭエンティティ１４が上層により再構築された後、本発明の方法は、Ｔｉｍｅｒ＿ＲＳＴタイマーを停止する工程を含み、再構築後のＲＬＣ　ＡＭエンティティの状態は、構築後のＲＬＣ　ＡＭエンティティの初期状態に類似している。Ｔｉｍｅｒ＿ＲＳＴタイマーは再構築の前に起動される。
【００６５】
図２２を参照する。図２２は、本発明による、再構築中の、Ｔｉｍｅｒ＿ＭＲＷタイマーの処理を示すメッセージ手順表である。ＲＬＣ　ＡＭエンティティ１４が上層により再構築された後、本発明の方法は、Ｔｉｍｅｒ＿ＭＲＷタイマーを停止する工程を含み、再構築後のＲＬＣ　ＡＭエンティティの状態は、構築後のＲＬＣ　ＡＭエンティティの初期状態に類似している。Ｔｉｍｅｒ＿ＭＲＷタイマーは再構築の前に起動される。
【００６６】
公知技術と比較して、本発明は、リセット工程の前、途中、後、再構築の前、途中、後、９つのタイマーを処理する工程を提供する。よって、本発明は、Ｔｉｍｅｒ＿Ｐｏｌｌ、Ｔｉｍｅｒ＿Ｐｏｌｌ＿Ｐｒｏｈｉｂｉｔ、Ｔｉｍｅｒ＿ＥＰＣ、Ｔｉｍｅｒ＿Ｄｉｓｃａｒｄ、Ｔｉｍｅｒ＿Ｐｏｌｌ＿Ｐｅｒｉｏｄｉｃ、Ｔｉｍｅｒ＿Ｄｉｓｃａｒｄ、Ｔｉｍｅｒ＿Ｓｔａｔｕｓ＿Ｐｒｏｈｉｂｉｔ、Ｔｉｍｅｒ＿Ｓｔａｔｕｓ＿Ｐｅｒｉｏｄｉｃ、Ｔｉｍｅｒ＿ＲＳＴ、Ｔｉｍｅｒ＿ＭＲＷタイマーを如何にして処理するかを完全に記述する。よって、本発明で指定される方法は、ＲＬＣエンティティのデッドロックを防止し、サービスの品質を維持する。
【００６７】
【発明の効果】
本発明では、ＲＬＣリセット、或いは再構築の後、各タイマーが適切に処理されるので、ＲＬＣ　ＡＭエンティティがデッドロックから回避され、サービスの品質（ＱｏＳ）が向上される。
【図面の簡単な説明】
【図１】公知技術のコミュニケーションモデルの簡略図である。
【図２】公知技術による、同等ＲＬＣ　ＡＭエンティティのリセット工程を示すメッセージ手順表である。
【図３】公知技術による、同等ＲＬＣ　ＡＭエンティティの伝送ウィンドウを示す状態図である。
【図４】公知技術による、リセット工程及び再構築工程中のＴｉｍｅｒ＿Ｐｏｌｌ＿Ｐｅｒｉｏｄｉｃタイマーに生じる問題を示すメッセージ手順表である。
【図５】公知技術による、リセット工程及び再構築工程中のＴｉｍｅｒ＿Ｓｔａｔｕｓ＿Ｐｅｒｉｏｄｉｃタイマーに生じる問題を示すメッセージ手順表である。
【図６】公知技術による、リセット工程及び再構築工程中のＴｉｍｅｒ＿Ｄｉｓｃａｒｄ＿Ｐｅｒｉｏｄｉｃタイマーに生じる問題を示すメッセージ手順表である。
【図７】本発明による、リセット工程中の、Ｔｉｍｅｒ＿Ｐｏｌｌ＿Ｐｅｒｉｏｄｉｃタイマーの処理を示すメッセージ手順表である。
【図８】本発明による、再構築作用中の、Ｔｉｍｅｒ＿Ｐｏｌｌ＿Ｐｅｒｉｏｄｉｃタイマーの処理を示すメッセージ手順表である。
【図９】本発明による、リセット工程中の、Ｔｉｍｅｒ＿Ｓｔａｔｕｓ＿Ｐｅｒｉｏｄｉｃタイマーの処理を示すメッセージ手順表である。
【図１０】本発明による、再構築作用中の、Ｔｉｍｅｒ＿Ｓｔａｔｕｓ＿Ｐｅｒｉｏｄｉｃタイマーの処理を示すメッセージ手順表である。
【図１１】本発明による、リセット工程間中の、Ｔｉｍｅｒ＿　Ｄｉｓｃａｒｄタイマーの処理を示すメッセージ手順表である。
【図１２】本発明による、再構築作用中の、Ｔｉｍｅｒ＿Ｄｉｓｃａｒｄタイマーの処理を示すメッセージ手順表である。
【図１３】本発明による、リセット工程中の、Ｔｉｍｅｒ＿　Ｐｏｌｌタイマーの処理を示すメッセージ手順表である。
【図１４】本発明による、再構築作用中の、Ｔｉｍｅｒ＿Ｐｏｌｌタイマーの処理を示すメッセージ手順表である。
【図１５】本発明による、リセット工程中の、Ｔｉｍｅｒ＿　Ｐｏｌｌ＿Ｐｒｏｈｉｂｉｔタイマーの処理を示すメッセージ手順表である。
【図１６】本発明による、再構築作用中の、Ｔｉｍｅｒ＿　Ｐｏｌｌ＿Ｐｒｏｈｉｂｉｔタイマーの処理を示すメッセージ手順表である。
【図１７】本発明による、リセット工程中の、Ｔｉｍｅｒ＿　Ｓｔａｔｕｓ＿Ｐｒｏｈｉｂｉｔタイマーの処理を示すメッセージ手順表である。
【図１８】本発明による、再構築作用中の、Ｔｉｍｅｒ＿　Ｓｔａｔｕｓ＿Ｐｒｏｈｉｂｉｔタイマーの処理を示すメッセージ手順表である。
【図１９】本発明による、リセット工程中の、Ｔｉｍｅｒ＿　ＥＰＣタイマー及び概算ＰＤＵ計算機メカニズムの処理を示すメッセージ手順表である。
【図２０】本発明による、再構築作用中の、ＥＰＣメカニズムの処理を示すメッセージ手順表である。
【図２１】本発明による、再構築作用中の、Ｔｉｍｅｒ＿ＲＳＴタイマーの処理を示すメッセージ手順表である。
【図２２】本発明による、再構築作用中の、Ｔｉｍｅｒ＿ＭＲＷタイマーの処理を示すメッセージ手順表である。
【符号の説明】
１０…第一ステーション
２０…第二ステーション
１２、２２…上層
１３、２３…ＳＤＵ
１４、２４…ＲＬＣ　ＡＭエンティティ
１５、２５…ＰＤＵ
１６、２６…下層
３０、３２…点
【図１】
2004080752.tif 000003
【図２】
2004080752.tif 000004
【図３】
2004080752.tif 000005
【図４】
2004080752.tif 000006
【図５】
2004080752.tif 000007
【図６】
2004080752.tif 000008
【図７】
2004080752.tif 000009
【図８】
2004080752.tif 000010
【図９】
2004080752.tif 000011
【図１０】
2004080752.tif 000012
【図１１】
2004080752.tif 000013
【図１２】
2004080752.tif 000014
【図１３】
2004080752.tif 000015
【図１４】
2004080752.tif 000016
【図１５】
2004080752.tif 000017
【図１６】
2004080752.tif 000018
【図１７】
2004080752.tif 000019
【図１８】
2004080752.tif 000020
【図１９】
2004080752.tif 000021
【図２０】
2004080752.tif 000022
【図２１】
2004080752.tif 000023
【図２２】
2004080752.tif 000024